(57)【要約】【課題】簡単な構造で移動筐体の移動停止時に生じる衝撃力を緩和し得る照明装置を提供する。【解決手段】被写体を照明する発光部１０ａと、発光部を有し発光部が非発光となる非発光位置と該発光部が発光可能となる発光位置とに移動する移動筐体１０と、移動筐体を発光位置方向若しくは非発光位置方向へと付勢する付勢部材１２と、移動筐体を非発光位置と発光位置とに案内するため移動筐体若しくは撮像機器に設けられた凸部１０ｃと撮像機器若しくは移動筐体に一体に設けられ凸部とすき間嵌め状態で嵌合摺接する長溝部４ａａと、長溝部の近傍に設けられ移動筐体が非発光位置と発光位置との間の移動の最中に凸部と接触摺接して該接触により長溝部の幅方向に弾性変形する変形部位を有する変形部４ａｂとからなる移動筐体案内手段とを具備する。【選択図】図３
2013057763.tif 000002
【特許請求の範囲】
【請求項１】
照明装置において、
被写体を照明する発光部と、
上記発光部を有し、該発光部が非発光となる非発光位置と、該発光部が発光可能となる発光位置とに移動する移動筐体と、
上記移動筐体を上記発光位置方向若しくは上記非発光位置方向へと付勢する付勢部材と、
上記移動筐体を上記非発光位置と上記発光位置とに案内するため、上記移動筐体若しくは上記撮像機器に設けられた凸部と、上記撮像機器若しくは上記移動筐体に一体に設けられ上記凸部とすき間嵌め状態で嵌合摺接する長溝部と、該長溝部の近傍に設けられ上記移動筐体が上記非発光位置と上記発光位置との間の移動の最中に上記凸部と接触摺接して該接触により上記長溝部の幅方向に弾性変形する変形部位を有する変形部とからなる移動筐体案内手段と、
を具備することを特徴とする照明装置。
【請求項２】
上記変形部は、片持ち梁状に形成され、該梁状部の途中から該梁状部の先端にかけて上記凸部の相対移動軌跡中に侵入していることを特徴とした請求項１に記載の照明装置。
【請求項３】
上記梁状部の先端は、上記移動筐体が上記発光位置の手前から上記発光位置までの間で上記凸部と摺接することを特徴とした請求項２に記載の照明装置。
【請求項４】
上記梁状部の先端は、上記移動筐体が上記発光位置に位置したとき、上記凸部を上記長溝部の摺接面とで挟むことを特徴とした請求項３に記載の照明装置。
【請求項５】
上記移動筐体案内手段は、上記移動筐体が上記発光位置に位置したとき、上記凸部を挟むように一対の変形部を有していることを特徴とした請求項３に記載の照明装置。
【請求項６】
上記梁状部の先端は、上記移動筐体が上記非発光位置の手前から上記非発光位置までの間で上記凸部と摺接することを特徴とした請求項２に記載の照明装置。
【請求項７】
上記変形部は、両持ち梁状に形成され、該梁状部の中央部分が上記凸部の相対移動軌跡中に侵入していることを特徴とした請求項１に記載の照明装置。
【請求項８】
上記梁状部の中央部分は、上記移動筐体が上記発光位置と上記非発光位置との間で上記凸部と摺接することを特徴とした請求項７に記載の照明装置。
【発明の詳細な説明】
【技術分野】
【０００１】
この発明は、照明装置、詳しくは撮像機器に対して突没自在に構成される照明装置に関するものである。
【背景技術】
【０００２】
従来、写真撮影等を行なう撮像機器において、機器本体内に収納された非発光位置と、機器本体内から突出した発光位置との間で移動することによって、機器に対して突没自在に構成される照明装置を具備するものが一般に実用化され、広く普及している。
【０００３】
この種の形態の照明装置は、発光部を備え付勢部材によって突出方向へ付勢される移動筐体と、撮像機器本体内に上記移動筐体が収納されている状態（非発光位置）を維持するロック機構と、このロック機構によるロック状態を解除する操作部材等とを備えているのが一般的構成である。
【０００４】
このような構成の従来の照明装置においては、上記移動筐体が非発光位置にあるときに上記操作部材を操作して上記ロック機構によるロック状態を解除すると、上記移動筐体が上記付勢部材によって撮像機器本体内より突出する方向へと移動する。そして、上記移動筐体と上記撮像機器との間で移動規制がなされることによって、上記移動筐体は、所定の発光位置に配置されるように構成されている。
【０００５】
つまり、この種の従来の照明装置では、付勢部材の付勢力によって移動筐体を突出方向へと移動させ、最終的に当該移動筐体を所定の発光位置に配置する。この場合において、付勢部材による移動筐体の移動は、上記移動筐体の一部を、例えば撮像機器本体側の位置規制部に当接させることによって移動規制が行われる。このことから、移動筐体の一部が位置規制部に当接するとき、付勢力によって衝撃音等が発生するという問題がある。また、移動筐体の突出動作の都度、移動筐体又は位置規制部に対して衝撃力による負荷が加わるという問題がある。
【０００６】
一般に従来の撮像機器において、上述のような衝撃音等が発生した場合、製品としての品位を損なってしまうという問題点がある。
【０００７】
そこで、例えば特開２００３−１７７４５３号公報等によって開示されている照明装置では、移動筐体と位置規制部とが当接する部位において、該移動筐体，位置規制部の両部材のいずれか一方、若しくは両方に弾性部材等の緩衝部材を設ける構成としている。この構成とすることによって、移動筐体と位置規制部とが衝突する際の衝突力が上記弾性部材等の緩衝部材によって吸収されて、衝撃音等を緩和するという手段が提案されている。
【先行技術文献】
【特許文献】
【０００８】
【特許文献１】特開２００３−１７７４５３号公報
【発明の概要】
【発明が解決しようとする課題】
【０００９】
ところが、上記特開２００３−１７７４５３号公報等によって開示されている従来の手段は、弾性部材等の緩衝部材を所定の部位に対して新たに設ける必要がある。また、このような構成によっても充分な緩衝効果を確実に得るためには、より高価な緩衝部材の適用が必要になったり、緩衝部材の厚味寸法が必要となる。したがって、部材点数の増加，製造工数の増加等に起因する製造コストの増大や、当該照明装置が大型化する等の問題が生じる。
【００１０】
本発明は、上述した点に鑑みてなされたものであって、その目的とするところは、機器に対して突没自在に構成される照明装置において、構成部材点数を増加させることなく、移動する移動筐体が移動規制されて停止する際の衝撃力を緩和して衝撃音等を抑止し得る照明装置を提供することである。
【課題を解決するための手段】
【００１１】
上記目的を達成するために、本発明の一態様の照明装置は、照明装置において、被写体を照明する発光部と、上記発光部を有し該発光部が非発光となる非発光位置と該発光部が発光可能となる発光位置とに移動する移動筐体と、上記移動筐体を上記発光位置方向若しくは上記非発光位置方向へと付勢する付勢部材と、上記移動筐体を上記非発光位置と上記発光位置とに案内するため上記移動筐体若しくは上記撮像機器に設けられた凸部と上記撮像機器若しくは上記移動筐体に一体に設けられ上記凸部とすき間嵌め状態で嵌合摺接する長溝部と該長溝部の近傍に設けられ上記移動筐体が上記非発光位置と上記発光位置との間の移動の最中に上記凸部と接触摺接して該接触により上記長溝部の幅方向に弾性変形する変形部位を有する変形部とからなる移動筐体案内手段と、を具備する。
【発明の効果】
【００１２】
本発明によれば、機器に対して突没自在に構成される照明装置において、構成部材点数を増加させることなく、移動する移動筐体が移動規制されて停止する際の衝撃力を緩和して衝撃音等を抑止し得る照明装置を提供することができる。
【図面の簡単な説明】
【００１３】
【図１】本発明の第１の実施形態による照明装置が適用される撮像機器（カメラ）の外観を示し、当該照明装置が非発光位置にある状態を示す概略斜視図、
【図２】本発明の第１の実施形態による照明装置が適用される撮像機器（カメラ）の外観を示し、当該照明装置が発光位置にある状態を示す概略斜視図、
【図３】図２に示す状態の撮像機器（カメラ）から外装部材を取り外した際の様子を示す概略斜視図、
【図４】本発明の第１の実施形態の照明装置が適用される撮像機器（カメラ）における照明装置係止機構の構成を説明するために照明装置（収納体及び移動筐体）のみを取り出して示す図であって、該移動筐体を収納した状態の収納体を背面側より見た外観斜視図、
【図５】図４に示す状態の本実施形態の照明装置において係止機構を分解して示す要部分解斜視図、
【図６】図５に示す係止機構の作用を説明するために、該係止機構のみを取り出して示す平面図、
【図７】本発明の第１の実施形態の照明装置において、移動筐体が外部に若干突出した発光位置状態で、収納体を分解した状態を示す要部分解斜視図、
【図８】図７と同様で、付勢部材を表し、移動筐体が発光位置に配置された状態であって収納体を分解した状態を示す要部分解斜視図
【図９】本発明の第１の実施形態の照明装置を正面から見た際に、移動筐体が若干突出した移動中の一場面の状態を示す平面図、
【図１０】図９の状態の後、移動筐体が発光位置に配置された状態（移動規制された状態）を示す平面図、
【図１１】本発明の第２の実施形態の照明装置を正面から見た際において、移動筐体が収納体内に収納された非発光位置に配置されている状態を示す平面図、
【図１２】図１１の状態の後、移動筐体が移動して収納体の外部に突出した発光位置に配置された状態を示す平面図、
【図１３】本発明の第３の実施形態の照明装置を正面から見た際において、移動筐体が収納体内に収納された非発光位置に配置されている状態を示す平面図、
【図１４】図１３の状態の後、移動筐体が移動して収納体の外部に突出した発光位置に配置された状態を示す平面図、
【図１５】本発明の第４の実施形態の照明装置を正面から見た際において、移動筐体が外部に若干突出した（移動中の一場面の）状態を示す平面図、
【図１６】図１５の状態の後、移動筐体が移動して外部に突出した発光位置に配置された状態を示す平面図、
【図１７】本発明の第５の実施形態の照明装置を正面から見た際において、移動筐体が収納体内に収納された非発光位置に配置されている状態を示す平面図、
【図１８】図１７の状態の後、移動筐体が移動して収納体の外部に突出した発光位置に配置された状態を示す平面図、
【図１９】本発明の第６の実施形態の照明装置を正面から見た際において、移動筐体が収納体内に収納された非発光位置に配置されている状態を示す平面図、
【図２０】図１９の状態の後、移動筐体が移動して収納体の外部に突出した発光位置に配置された状態を示す平面図、
【図２１】本発明の第７の実施形態の照明装置を正面から見た際において、移動筐体が外部に若干突出した（移動中の一場面の）状態を示す平面図、
【図２２】図２１の［２２］−［２２］線に沿う断面図、
【図２３】図２２の［２３］部を拡大して示す要部拡大断面図、
【図２４】図２１の［２４］［２４］線に沿う断面の一部を拡大して示す要部拡大断面図、
【図２５】本発明の第８の実施形態の照明装置が適用される撮像機器（カメラ）を背面側から見た際の外観を示し、照明装置が非発光位置にある状態の概略斜視図、
【図２６】図２５の状態から照明装置が発光位置に移動した後の状態を示す外観斜視図、
【図２７】本発明の第８の実施形態の照明装置を背面側より見た際の外観を示し、移動筐体が収納体に収納された（非発光位置にある）状態を示す外観斜視図、
【図２８】図２７の状態の後、移動筐体が移動して収納体から突出した（発光位置にある）状態を示す外観斜視図、
【発明を実施するための形態】
【００１４】
以下、図示の実施の形態によって本発明を説明する。
【００１５】
［第１の実施形態］
図１，図２は、本発明の第１の実施形態による照明装置が適用される撮像機器（カメラ）の外観を示す概略斜視図である。このうち、図１は本実施形態の照明装置が非発光位置にある状態を示している。図２は同照明装置が発光位置にある状態を示している。また、図３は、図２に示す状態の撮像機器（カメラ）から外装部材を取り外した際の様子を示す概略斜視図である。
【００１６】
なお、以下の説明に用いる各図面においては、各構成要素を図面上で認識可能な程度の大きさとするため、各構成要素毎に縮尺を異ならせて示している場合がある。したがって、本発明は、これらの図面に記載された構成要素の数量，構成要素の形状，構成要素の大きさの比率及び各構成要素の相対的な位置関係は、図示の形態のみに限定されるものではない。
【００１７】
本発明の第１の実施形態の照明装置は、撮像機器であるカメラ（以下、単にカメラという）に対して突没自在に構成されたいわゆるポップアップ方式の移動筐体及びこの移動筐体を収納する収納体とによって構成される。
【００１８】
まず、本実施形態の照明装置が適用されるカメラ１は、図１〜図３に示すように、カメラ本体５（図３のみに図示）と、このカメラ本体５の内部に収納される各種の構成部材等（不図示）と、収納体４（図３のみに図示）と、この収納体４の内部に収納される移動筐体１０等からなる照明装置６と、上記カメラ本体５及び照明装置６の外面を覆う外装部材２と、当該カメラ１の前面に配設され撮影レンズ３ａを備えたレンズ鏡筒３等によって主に構成されている。
【００１９】
本実施形態の照明装置６は、被写体を照明する発光部１０ａと、該発光部１０ａに接続される電気回路等（不図示）と、これらの構成物を内部に収納する移動筐体１０等によって構成されている。
【００２０】
上記照明装置６の移動筐体１０は、上記収納体４の内部に収納された位置にある非発光位置と、上記収納体４から外部に向けて突出した位置にある発光位置との間で、図３に示す矢印Ｙに沿う方向に移動自在に配設されている。換言すると、移動筐体１０は、発光部１０ａを有し、該発光部１０ａが非発光となる非発光位置と、該発光部１０ａが発光可能となる発光位置とに移動する筐体ユニットである。
【００２１】
詳細構成は後述するが、移動筐体１０の前面には、前面側に向けて突出する凸部である凸状部１０ｃが二つ形成されている。これに対して、（撮像機器（カメラ）側の）上記収納体４の前面板４ａには、二本の長溝部４ａａが、図３の矢印Ｙ方向に沿って形成されている。
【００２２】
そして、上記移動筐体１０が上記収納体４の内部に収納された状態において、上記二つの凸状部１０ｃは、上記二本の長溝部４ａａのそれぞれに摺動自在に嵌合している。したがって、この構成により、移動筐体１０は、二本の長溝部４ａａに沿う方向、即ち図３の矢印Ｙに沿う方向にのみ移動し得るようになっている。これと同時に、二つの凸状部１０ｃは、二本の長溝部４ａａの長手方向の両端部において移動規制される。つまり、この構成によって、移動筐体１０の矢印Ｙ方向における移動範囲は、二本の長溝部４ａａの長さ方向の範囲内となるように規制されている。
【００２３】
なお、上記前面板４ａ及び筐体部４ｂ（後述する）からなる収納体４は、例えば樹脂モールド部材等によって形成されている。
【００２４】
上記移動筐体１０は、上記収納体４の内部に配設されている付勢部材（図１〜図３では不図示。後述の図８に示す符号１２参照）の付勢力によって突出する方向に常に付勢されている。換言すると、付勢部材１２は、移動筐体１０を上記発光位置方向へと常に付勢している。
【００２５】
そこで、上記収納体４は、付勢部材１２（図８参照）による移動筐体１０の突出方向への移動を係止して、該移動筐体１０の非発光位置を維持させるための係止機構１１を具備している。
【００２６】
図４，図５，図６は、本実施形態の照明装置が適用されるカメラにおける照明装置係止機構の構成を示す図である。このうち、図４は、照明装置を取り出して示す図であって、移動筐体を収納した状態の収納体を背面側より見た外観斜視図である。図５は、図４に示す状態の照明装置において、係止機構を分解して示す要部分解斜視図である。図６は、上記係止機構の作用を説明するために該係止機構のみを取り出して示す平面図である。
【００２７】
移動筐体１０は、上述したように収納体４の内部において、矢印Ｙ方向に移動自在に収納されている。この収納体４は、移動筐体１０の前面を覆う前面板４ａと、移動筐体１０の背面，両側面及び底面を覆う筐体部４ｂとによって、一面（上面）に開口４ｃを有する筐体状に形成されている。なお、該開口４ｃは、上記収納体４の内部に収納される移動筐体１０が突没するための開口となる。
【００２８】
係止機構１１は、スライド部材５０と、スプリング５１と、支持ネジ５２と、係止爪５３等によって構成される。これらの構成部材からなる係止機構１１は、上記収納体４の背面側の台座部４ｄ上に配設されている。
【００２９】
そのために、該台座部４ｄ上には、上記係止爪５３が図５に示す矢印Ｚに沿う方向に摺動しうるように形成される凹溝４ｅと、スライド部材５０を図５に示す矢印Ｘに沿う方向に摺動自在に支持する支持軸４ｆとが形成されている。
【００３０】
スライド部材５０には、斜行溝５０ａと、長円状孔５０ｂと、操作ツマミ部５０ｃとが形成されている。このうち、斜行溝５０ａは、係止爪５３の突起５３ａが係合する溝部であって、該スライド部材５０が図５に示す矢印Ｘに沿う方向に移動することによって係止爪５３を図５に示す矢印Ｚに沿う方向に移動させるために設けられている。また、長円状孔５０ｂは、図５に示す矢印Ｘに沿う方向に延びる長円形状の孔部であって、上記台座部４ｄの支持軸４ｆが係合する。そして、操作ツマミ部５０ｃは、スライド部材５０を図５の矢印Ｘ方向に移動させ得る操作部として機能するよう形成されている部位である。
【００３１】
スプリング５１は、スライド部材５０と台座部４ｄの一方の側壁４ｇとの間に配設され、スライド部材５０を常に矢印Ｘ２方向へと付勢するための例えばコイルスプリング等の付勢部材である。
【００３２】
支持ネジ５２は、支持軸４ｆに形成されるネジ穴に螺合することによって、上記スライド部材５０を、矢印Ｘ方向の摺動を許容しつつ、台座部４ｄ上から離脱しないように固定する支持部材である。
【００３３】
係止爪５３は、台座部４ｄの凹溝４ｅ内に矢印Ｚ方向に摺動自在に配設され、所定の位置に配置された時、先端部が移動筐体１０の被係止部（不図示）に係合することによって、該移動筐体１０を非発光位置に係止する部材である。
【００３４】
係止爪５３には、突起５３ａが形成されていて、この突起５３ａは、スライド部材５０の斜行溝５０ａに係合している。したがって、スライド部材５０が矢印Ｘ方向へと移動すると、これに連動して、係止爪５３は、台座部ｄ４の凹溝４ｅ内を矢印Ｚ方向に移動するように構成される。
【００３５】
具体的には、例えばスライド部材５０がスプリング５１の付勢力に抗して矢印Ｘ１方向に移動されると、係止爪５３は矢印Ｚ１方向に移動する。これにより、係止爪５３は、移動筐体１０の被係止部との係合が解除される。これにより、移動筐体１０は、ポップアップして発光位置に移動する。
【００３６】
次に、本実施形態の照明装置６の詳細構成について、図７〜図１０を用いて以下に説明する。
【００３７】
図７，図８は、本実施形態の照明装置を取り出して、収納体を分解した状態で示す要部分解斜視図である。なお、図７は、移動筐体１０が外部に若干突出した状態を示している。図８は、図７と同様で、付勢部材（ばね）１２を表しており、該移動筐体が外部に突出した発光位置に配置されている状態を示している。
【００３８】
また、図９，図１０は、本実施形態の照明装置を正面から見た平面図である。なお、図９は、移動筐体が外部に若干突出した（移動中の一場面の）状態を示している。図１０は、該移動筐体が外部に突出した発光位置に配置されている状態（移動規制された状態）を示している。
【００３９】
上述したように、移動筐体１０は、収納体４の内部において、矢印Ｙに沿う方向に移動自在に配設されている。収納体４は、前面板４ａと筐体部４ｂとによって一面（上面）に開口４ｃを有する筐体状に構成されている。この場合において、前面板４ａと筐体部４ｂとの間は、図７，図８に示すように、複数（本実施形態では三本）のビス４１を用いて一体に連結されている。
【００４０】
収納体４の前面板４ａには、二本の長溝部４ａａが矢印Ｙ方向に沿って形成されている。この二本の長溝部４ａａは、図７〜図１０に示すように、前面板４ａの正面側から見た場合に、それぞれの長辺方向の軸線が重複しない位置であって、かつ一方は上端寄りの位置に他方は下端寄りの位置に、それぞれが穿設されている。
【００４１】
上述したように、この長溝部４ａａに対応させて、移動筐体１０の前面には、前面側に向けて突出する凸部である凸状部１０ｃが二つ形成されている。
【００４２】
上記二本の長溝部４ａａのそれぞれは、溝両端部の幅寸法に対して溝中程部の幅寸法を若干狭幅となるように形成されている。そして、溝中程の幅寸法は、移動筐体１０側の凸状部１０ｃの幅寸法に対して略同寸法若しくは若干小となるように形成されている。
【００４３】
さらに、上記長溝部４ａａの長辺方向に沿う両サイド近傍部位には、該長溝部４ａａの両側縁との間に所定の間隔を置いて、両側縁のそれぞれに沿うように形成されたスリット状の変形部４ａｂが形成されている。
【００４４】
この変形部４ａｂは、移動筐体１０が非発光位置と発光位置との間で移動するとき、即ち長溝部４ａａに沿って凸状部１０ｃが移動するとき、該凸状部１０ｃによって弾性変形されるように形成されている。
【００４５】
ここで、本実施形態の照明装置６においては、移動筐体１０に設けられた上記凸状部１０ｃ（凸部）と、撮像機器に一体に設けられ上記凸状部１０ｃ（凸部）とすき間嵌め状態で嵌合摺接する長溝部４ａａと、上記変形部４ａｂとによって、移動筐体１０を非発光位置と発光位置とに案内する移動筐体案内手段を構成している。
【００４６】
そして、上述したように、上記収納体４の内部には、付勢部材１２（図８参照）が配設されている。この付勢部材１２は、移動筐体１０を突出させる方向（図８の矢印Ｙ１方向）に常に付勢している。
【００４７】
以上のように構成された本実施形態の照明装置６の作用を、主に図９，図１０を用いて以下に説明する。
【００４８】
収納体４に移動筐体１０を収納した状態において、該移動筐体１０の二つの凸状部１０ｃは、それぞれが二つの長溝部４ａａのそれぞれに対して嵌合している。
【００４９】
このとき、長溝部４ａａの幅寸法は、溝両端部と溝中程部とで異なるように形成されていることから、長溝部４ａａと凸状部１０ｃとはすき間嵌め状態で嵌合摺接している。
【００５０】
したがって、このとき、移動筐体１０が付勢部材１２の付勢力によって、矢印Ｙ１方向に移動すると、凸状部１０ｃが長溝部４ａａにすき間嵌め状態で嵌合摺接する。
【００５１】
即ち、移動筐体１０が非発光位置と発光位置との間で移動するとき、長溝部４ａａに沿って凸状部１０ｃが移動する。この移動の途中であって、本実施形態においては、凸状部１０ｃが長溝部４ａａの中程を通過する時、凸状部１０ｃは長溝部４ａａの幅方向の両内側縁部に接触摺接する。この接触に伴って上記変形部４ａｂは、長溝部４ａａの幅方向に弾性変形する変形部位を有している。
【００５２】
したがって、図９に示すように、凸状部１０ｃが長溝部４ａａの中程を通過する時、変形部４ａｂが弾性変形することによって、長溝部４ａａは凸状部１０ｃの通過を許容する。そして、凸状部１０ｃが長溝部４ａａ内で接触摺接しながら通過する時、移動筐体１０の運動エネルギーの一部は、変形部４ａｂを変形させる歪みエネルギーに変換される。これによって、移動筐体１０の移動速度が減速し、よって、凸状部１０ｃが長溝部４ａａの一端に衝突することによって移動規制されて停止する際の衝撃力を減衰させる。
【００５３】
以上説明したように上記第１の実施形態によれば、移動筐体１０が非発光位置と発光位置との間で移動するときに、移動筐体案内手段のうち長溝部４ａａの近傍に変形部４ａｂを形成すると共に、この変形部４ａｂが形成されている部位に対応する長溝部４ａａの幅寸法を凸状部１０ｃの幅寸法に合わせて（略同寸法若しくは若干小となるような）設定で構成している。この構成によって、移動筐体１０が非発光位置と発光位置との間で移動するときに、移動筐体１０の移動中における中程の位置において付勢部材１２の付勢力を減衰させることができる。これにより、移動筐体１０が突出する方向に移動した時に、移動規制されて停止する際の衝撃力を減衰させることができ、よって衝撃音等の発生を抑止することができる。
【００５４】
なお、上述の第１の実施形態においては、二本の長溝部４ａａのそれぞれの近傍に、変形部４ａｂをそれぞれ形成するように構成している（図９，図１０等参照）。しかしながら、この構成に限られることはなく、例えば二本の長溝部４ａａのうち一方のみに変形部４ａｂを設けるような構成としてもよい。
【００５５】
［第２の実施形態］
図１１，図１２は、本発明の第２の実施形態の照明装置を正面から見た際の平面図である。このうち図１１は、移動筐体が収納体内に収納された非発光位置に配置されている状態を示している。図１２は、移動筐体が収納体の外部に突出した発光位置に配置されている状態を示している。
【００５６】
本実施形態の照明装置６Ａの基本的な構成は、上述の第１の実施形態（図９，図１０参照）と略同様であって、移動筐体案内手段のうちの変形部の構成が若干異なるのみである。したがって、上述の第１の実施形態と同様の構成は、同じ符号を附してその詳細説明を省略し、異なる部材についてのみ、以下に詳述する。
【００５７】
本実施形態の照明装置６Ａにおいて、これが収納されるべき収納体４Ａの前面板４Ａａに二本の長溝部４ａａが形成されている点は、上述の第１の実施形態と同様である。この前面板４Ａａの二本の長溝部４ａａのうち、一方（図１１においては上面寄り）の長溝部４ａａにおいて、その長辺方向に沿う両サイド近傍部位に、該長溝部４ａａの両側縁との間に所定の間隔を置いて、該両側縁の一部に沿うように形成された片持ち梁状の変形部４Ａａｂが対向するように形成されている。
【００５８】
この変形部４Ａａｂは、長溝部４ａａの中程の部位を支持部として、該長溝部４ａａの一端部（本実施形態では上端部位）近傍に向けて配置される片持ち梁状に形成されており、長溝部４ａａを挟んで両サイドに形成されている。
【００５９】
また、図１１に示す自然状態において、二つの変形部４Ａａｂの自由端間の隙間寸法は、二つの変形部４Ａａｂの支持部間の寸法に対して若干幅狭となるように設定されている。同時に、二つの変形部４Ａａｂの自由端間の隙間寸法は、移動筐体１０側の凸状部１０ｃの幅寸法と略同寸法若しくは幅狭となるように設定されている。
【００６０】
上述のように変形部４Ａａｂの寸法を設定することによって、本実施形態によれば、移動筐体１０が非発光位置と発光位置との間で移動するときに、移動筐体１０の移動中における最終段階、即ち移動筐体１０が移動規制される直前の所定の移動範囲内において付勢部材１２の付勢力を減衰させることができる。
【００６１】
なお、上述の第２の実施形態においては、二本の長溝部４ａａのうちの一方のみに変形部４Ａａｂを設けるように構成している（図１１，図１２等参照）。しかしながら、この構成に限られることはなく、例えば二本の長溝部４ａａのそれぞれの近傍に、変形部４Ａａｂをそれぞれ形成するように構成してもよい。この構成とすれば、付勢部材１２による付勢力のさらなる減衰に寄与し得る。
【００６２】
［第３の実施形態］
図１３，図１４は、本発明の第３の実施形態の照明装置を正面から見た際の平面図である。このうち図１３は、移動筐体が収納体内に収納された非発光位置に配置されている状態を示している。図１４は、移動筐体が収納体の外部に突出した発光位置に配置されている状態を示している。
【００６３】
本実施形態の照明装置６Ｂの基本的な構成は、上述の第２の実施形態（図１１，図１２参照）と略同様であって、移動筐体案内手段のうちの変形部の配置を異ならせて構成した点が異なるのみである。したがって、上述の第２の実施形態と同様の構成は、同じ符号を附してその詳細説明を省略し、異なる部材についてのみ、以下に詳述する。
【００６４】
本実施形態の照明装置６Ｂにおいては、収納体４Ｂの前面板４Ｂａの二本の長溝部４ａａのうち、一方（図１３においては上面寄り）の長溝部４ａａの長辺方向に沿う両サイド近傍部位には、上述の第２の実施形態と同形態に形成された片持ち梁状の変形部４Ｂａｂが形成されている。ただし、上述の第２の実施形態の変形部４Ａａｂが、長溝部４ａａの中程の部位を支持部とし、先端を該長溝部４ａａの上端部位近傍に向けた片持ち梁状に形成しているのに対して、本実施形態の変形部４Ｂａｂは、長溝部４ａａの中程の部位を支持部とし、先端を該長溝部４ａａの下端部位近傍に向けた片持ち梁状に形成している点が異なる。その他の構成は、上述の第２の実施形態と全く同様である。
【００６５】
このような構成とすることによって、本実施形態によれば、移動筐体１０が非発光位置と発光位置との間で移動するときに、移動筐体１０の移動中における初期段階、即ち移動筐体１０が非発光位置にある状態から移動開始直後の所定の移動範囲内において付勢部材１２の付勢力を減衰させることができる。
【００６６】
なお、上述の第３の実施形態においては、二本の長溝部４ａａのうちの一方のみに変形部４Ｂａｂを設けるように構成している（図１３，図１４等参照）。しかしながら、この構成に限られることはなく、例えば二本の長溝部４ａａのそれぞれの近傍に、変形部４Ｂａｂをそれぞれ形成するように構成してもよい。この構成とすれば、付勢部材１２による付勢力のさらなる減衰に寄与し得る。
【００６７】
［第４の実施形態］
図１５，図１６は、本発明の第４の実施形態の照明装置を正面から見た際の平面図である。このうち図１５は、移動筐体が外部に若干突出した（移動中の一場面の）状態を示している。図１６は、該移動筐体が外部に突出した発光位置に配置されている状態を示している。
【００６８】
本実施形態の照明装置６Ｃの基本的な構成は、上述の第１の実施形態（図９，図１０参照）と略同様であって、移動筐体案内手段のうちの変形部の構成が若干異なるのみである。したがって、上述の第１の実施形態と同様の構成は、同じ符号を附してその詳細説明を省略し、異なる部材についてのみ、以下に詳述する。
【００６９】
上述の第１の実施形態においては、スリット状の変形部４ａｂを、長溝部４ａａの長辺方向に沿う両サイド近傍部位に形成している。これに対して、本実施形態の照明装置６Ｃにおいては、スリット状の変形部４Ｃａｂを、長溝部４ａａの長辺方向に沿う一方の側縁部位に形成している。その他の構成は、上述の第１の実施形態と全く同様である。
【００７０】
このような構成とすることによって、本実施形態においても上述の第１の実施形態と略同様の作用となり、それによって略同様の効果を得ることができる。
【００７１】
また、本実施形態においては、変形部４Ｃａｂを長溝部４ａａの長辺方向に沿う一方の側縁部位のみに形成する構成としたので、上述の第１の実施形態に比べて収納体４Ｃの形状を簡略化することができる。
【００７２】
なお、本実施形態においては、変形部４Ｃａｂを一方の長溝部４ａａの近傍に形成した例を示しているが、この形態に限らず、例えば他方の長溝部４ａａの近傍に形成してもよいし、二つの長溝部４ａａのそれぞれの近傍に、変形部４Ｃａｂをそれぞれ形成した形態としてもよい。
【００７３】
［第５の実施形態］
図１７，図１８は、本発明の第５の実施形態の照明装置を正面から見た際の平面図である。このうち図１７は、移動筐体が収納体内に収納された非発光位置に配置されている状態を示している。図１８は、移動筐体が収納体の外部に突出した発光位置に配置されている状態を示している。
【００７４】
本実施形態の照明装置６Ｄの基本的な構成は、上述の第２の実施形態（図１１，図１２参照）と略同様であって、移動筐体案内手段のうちの変形部の構成が若干異なるのみである。したがって、上述の第２の実施形態と同様の構成は、同じ符号を附してその詳細説明を省略し、異なる部材についてのみ、以下に詳述する。
【００７５】
上述の第２の実施形態においては、長溝部４ａａの長辺方向に沿う両サイド近傍部位のそれぞれに片持ち梁状の変形部４Ａａｂを対向するように形成している。これに対して、本実施形態の照明装置６Ｄにおいては、片持ち梁状の変形部４Ｄａｂを、長溝部４ａａの長辺方向に沿う一方の側縁部位に形成している。その他の構成は、上述の第２の実施形態と全く同様である。
【００７６】
このような構成とすることによって、本実施形態においても上述の第２の実施形態と略同様の作用となり、それによって略同様の効果を得ることができる。
【００７７】
また、本実施形態においては、変形部４Ｄａｂを長溝部４ａａの長辺方向に沿う一方の側縁部位のみに形成する構成としたので、上述の第２の実施形態に比べて収納体４Ｄの形状を簡略化することができる。
【００７８】
なお、本実施形態においては、変形部４Ｄａｂを一方の長溝部４ａａの近傍に形成した例を示しているが、この形態に限らず、例えば他方の長溝部４ａａの近傍に形成してもよいし、二つの長溝部４ａａのそれぞれの近傍に、変形部４Ｄａｂをそれぞれ形成した形態としてもよい。
【００７９】
［第６の実施形態］
図１９，図２０は、本発明の第６の実施形態の照明装置を正面から見た際の平面図である。このうち図１９は、移動筐体が収納体内に収納された非発光位置に配置されている状態を示している。図２０は、移動筐体が収納体の外部に突出した発光位置に配置されている状態を示している。
【００８０】
本実施形態の照明装置６Ｅの基本的な構成は、上述の第３の実施形態（図１３，図１４参照）と略同様であって、移動筐体案内手段のうちの変形部の構成が若干異なるのみである。したがって、上述の第３の実施形態と同様の構成は、同じ符号を附してその詳細説明を省略し、異なる部材についてのみ、以下に詳述する。
【００８１】
上述の第３の実施形態においては、長溝部４ａａの長辺方向に沿う両サイド近傍部位のそれぞれに片持ち梁状の変形部４Ｂａｂを対向するように形成している。これに対して、本実施形態の照明装置６Ｅにおいては、片持ち梁状の変形部４Ｅａｂを、長溝部４ａａの長辺方向に沿う一方の側縁部位に形成している。その他の構成は、上述の第３の実施形態と全く同様である。
【００８２】
このような構成とすることによって、本実施形態においても上述の第３の実施形態と略同様の作用となり、それによって略同様の効果を得ることができる。
【００８３】
また、本実施形態においては、変形部４Ｅａｂを長溝部４ａａの長辺方向に沿う一方の側縁部位のみに形成する構成としたので、上述の第３の実施形態に比べて収納体４Ｅの形状を簡略化することができる。
【００８４】
なお、本実施形態においては、変形部４Ｅａｂを一方の長溝部４ａａの近傍に形成した例を示しているが、この形態に限らず、例えば他方の長溝部４ａａの近傍に形成してもよいし、二つの長溝部４ａａのそれぞれの近傍に、変形部４Ｅａｂをそれぞれ形成した形態としてもよい。
【００８５】
［第７の実施形態］
図２１〜図２４は、本発明の第７の実施形態の照明装置を正面から見た際の平面図である。このうち図２１は移動筐体が外部に若干突出した（移動中の一場面の）状態を示している。図２２は、図２１の［２２］−［２２］線に沿う断面図である。図２３は、図２２の［２３］部を拡大して示す要部拡大断面図である。図２４は、図２１の［２４］［２４］線に沿う断面の一部を拡大して示す要部拡大断面図である。
【００８６】
本実施形態の照明装置６Ｆの基本的な構成は、上述の第１の実施形態（図９，図１０参照）と略同様であって、移動筐体案内手段のうちの変形部の構成が異なるのみである。したがって、上述の第１の実施形態と同様の構成は、同じ符号を附してその詳細説明を省略し、異なる部材についてのみ、以下に詳述する。
【００８７】
本実施形態の照明装置６Ｆにおいては、上述の第１の実施形態の照明装置６におけるスリット状の変形部４ａｂに変えて変形部４Ｆａｃが具備されている。この変形部４Ｆａｃは、例えば樹脂モールド部材等からなる収納体４Ｆの前面板４Ｆａと一体に、弾性変形し得るように形成されている。
【００８８】
変形部４Ｆａｃは、図２１の矢印Ｘに沿う面の断面が略Ｌ字形状に形成され、前面側に向けて突出する腕部と、この腕部の先端から上記矢印Ｘ方向に延び上記長溝部４ａａに対向する部位に配置される板状部とによって形成される。上記板状部は、長溝部４ａａの溝中程の部位であって、該長溝部４ａａの長辺方向に沿う所定の範囲の部位を覆うように形成されている。
【００８９】
そして、上記板状部は、図２３に示すように、外側面は平面上に形成されている一方、内側面は、図２３の矢印Ｙに沿う面の断面が略円弧状に形成されている。この場合において、上記板状部の中程の部位では、若干肉厚となるように、また、上下両端部位近傍では、上記中程部位の板厚に比べて若干薄くなるように設定されている。なお、中程部位から両端部位にかけて、板幅が徐々に減少するような断面形状、即ち略円弧形状に形成されている。
【００９０】
一方、上記腕部の前面側突出量は、移動筐体１０側の凸状部１０ｃの突出量に合わせて設定されている。即ち、上記腕部の前面側への突出量は、凸状部１０ｃが長溝部４ａａを矢印Ｙ方向に摺動するとき、凸状部１０ｃの先端面が上記板状部の内側面にそって摺動するように設定されている。上述したように、板状部の矢印Ｙ方向の断面が略円弧状に形成されているので、凸状部１０ｃが長溝部４ａａを矢印Ｙ方向に摺動して上記変形部４Ｆａｃの部位を通過する時、上記変形部４Ｆａｃの板状部（内側面）は、凸状部１０ｃ（先端面）によって図２３の矢印Ｚ１方向へと押圧されて弾性変形する。この弾性力によって、凸状部１０ｃは、同矢印Ｚ１方向とは反対方向に押圧されることになるので、移動筐体１０の付勢部材１２による移動速度が減速される。その他の構成は、上述の第１の実施形態と略同様である。
【００９１】
以上説明したように上記第７の実施形態によれば、上述の第１の実施形態と略同様の作用となり、それによって略同様の効果を得ることができる。
【００９２】
また、本実施形態においては、二つの長溝部４ａａのそれぞれに対応させて変形部４Ｆａｃを配設した例を示しているが、この構成に限られることはなく、変形部４Ｆａｃは、例えば二つの長溝部４ａａのうちの何れか一方に対応する部位のみに配設する形態でもよい。この構成によれば、収納体４Ｆの形状を簡略化することができる。
【００９３】
［第８の実施形態］
上述の各実施形態においては、移動筐体１０は、付勢部材１２の付勢力によって常に突出方向に付勢されるように構成された照明装置（６，６Ａ〜６Ｆ）を例に挙げて説明している。これに対して、以下に示す本発明の第８の実施形態による照明装置６Ｇにおいては、付勢部材（不図示）の付勢力によって移動筐体１０が常に撮像機器（カメラ１）の内部へと引き込まれるように構成した場合の例を示している。
【００９４】
図２５，図２６は、本発明の第８の実施形態の照明装置が適用される撮像機器（カメラ）を背面側から見た際の外観を示す概略斜視図である。このうち図２５は、照明装置が非発光位置にある状態を示している。また、図２６は、照明装置が発光位置にある状態を示している。図２７，図２８は、本実施形態の照明装置を取り出して、背面側より見た際の外観斜視図である。このうち図２７は、移動筐体が収納体に収納された（非発光位置にある）状態を示している。図２８は、移動筐体が収納体から突出した（発光位置にある）状態を示している。
【００９５】
本実施形態の照明装置６Ｇは、上述したように、付勢部材（不図示）の付勢力によって図２５に示す状態、即ち移動筐体１０が非発光位置にある状態が維持されるようになっている。換言すれば、付勢部材は、移動筐体１０を非発光位置方向へと付勢している。
【００９６】
照明装置６Ｇが適用されるカメラ１Ｇには、照明装置６Ｇが配設される部位の近傍であって上面側の背面に、半円形状に切り欠かかれた形態の指掛け部１３が形成されている（図２５，図２６参照）。これに対応させて、照明装置６Ｇの収納体４Ｇの背面側上縁部にも、上記指掛け部１３と略同形状の切欠部４Ｇｄが形成されている（図２５，図２６参照）。
【００９７】
また、収納体４Ｇには、図示していないが、上述の各実施形態にて例示したものと同様の変形部を有している。これに対応させて、移動筐体１０には、上述の各実施形態にて例示したものと同様の凸状部（１０ｃ；不図示）が具備されている。その他の構成は上述の第１の実施形態と程同様である。
【００９８】
このような構成によって、本実施形態の照明装置６Ｇが適用されたカメラ１Ｇにおいては、図２５に示す状態にある時、使用者は手指等を用いて上記指掛け部１３から移動筐体１０を付勢部材（不図示）の付勢力に抗して引き上げることができる。そして、図２６に示す状態まで引き上げた時、移動筐体１０は所定の係止機構（不図示）によって係止される。これにより、移動筐体１０は、図２６に示す状態、即ち所定の発光位置が維持される。
【００９９】
一方、図２６の発光位置にある移動筐体１０を、カメラ１Ｇの収納体４Ｇ内に収納する際には、使用者は手指等によって移動筐体１０を若干量だけ引き上げる等の操作によって、上記係止機構（不図示）による係止状態を解除する。これより、移動筐体１０は、付勢部材（不図示）の付勢力によって収納体４Ｇ内へと引き戻される（ポップダウン動作）。この場合において、移動筐体１０は、凸状部（１０ｃ；不図示）が収納体４Ｇの変形部（不図示）を通過する際の作用によって、その移動速度が抑止される。したがってこれにより、付勢部材の付勢力によるポップダウン停止時の衝撃力が緩和される。
【０１００】
なお、上述の各実施形態においては、凸状部を移動筐体側に設け、変形部を収納体側に設ける構成としているが、この構成に限られることはない。例えば、凸状部を収納体側に設け、変形部を移動筐体側に設ける構成とすることもでき、その場合においても、上述した各実施形態と同様に作用し、同様の効果を得ることができる。
【０１０１】
本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【符号の説明】
【０１０２】
１，１Ｇ……カメラ，２……外装部材，３……レンズ鏡筒，３ａ……撮影レンズ，
４，４Ａ，４Ｂ，４Ｃ，４Ｄ，４Ｅ，４Ｆ，４Ｇ……収納体，４ａａ     長溝部，
４Ａａ，４Ｂａ，４Ｆａ……前面板，
４ａｂ，４Ａａｂ，４Ｂａｂ，４Ｃａｂ，４Ｄａｂ，４Ｅａｂ，４Ｆａｃ……変形部，
４Ｇｄ  切欠部，５……カメラ本体
６，６Ａ，６Ｂ，６Ｃ，６Ｄ，６Ｅ，６Ｆ，６Ｇ……照明装置
１０……移動筐体，１０ａ……発光部，１０ｃ……凸状部，１１……係止機構，１２手mm…付勢部材
【図１】
2013057763.tif 000003
【図２】
2013057763.tif 000004
【図３】
2013057763.tif 000005
【図４】
2013057763.tif 000006
【図５】
2013057763.tif 000007
【図６】
2013057763.tif 000008
【図７】
2013057763.tif 000009
【図８】
2013057763.tif 000010
【図９】
2013057763.tif 000011
【図１０】
2013057763.tif 000012
【図１１】
2013057763.tif 000013
【図１２】
2013057763.tif 000014
【図１３】
2013057763.tif 000015
【図１４】
2013057763.tif 000016
【図１５】
2013057763.tif 000017
【図１６】
2013057763.tif 000018
【図１７】
2013057763.tif 000019
【図１８】
2013057763.tif 000020
【図１９】
2013057763.tif 000021
【図２０】
2013057763.tif 000022
【図２１】
2013057763.tif 000023
【図２２】
2013057763.tif 000024
【図２３】
2013057763.tif 000025
【図２４】
2013057763.tif 000026
【図２５】
2013057763.tif 000027
【図２６】
2013057763.tif 000028
【図２７】
2013057763.tif 000029
【図２８】
2013057763.tif 000030